(57)【要約】【課題】電線共同溝の溝体に収納されたケーブル類を保護するとともに、防水性及び防犯性に優れた蓋構造を提供する。【解決手段】蓋構造は、溝体の上面縁部２２に取り付けられる枠体３２と、上蓋５０及び中蓋６０により構成される。前記上蓋５０は、前記枠体３２の内側上方に設けられた受部３６Ａ〜３６Ｄによって支持される。前記中蓋６０は、長手方向の両端側に係合片６４とロック具６６を備えており、これらを枠体３２の内側の延長部４２の縁部４４や溝４６に係合させて固定する。また、前記中蓋６０の表面６２Ａの四隅には、密閉機構８０が設けられている。回転体９２に偏心して取り付けられた回転軸９４の端部９４Ａを枠体３２の凹部４８に嵌めてから、前記回転軸９４を回転させることにより、前記中蓋６０を押し下げて、縁部６１を枠体３２の溝４０に設けられたパッキン１００に密着させる。【選択図】図４
2009033896.tif 000002
【特許請求の範囲】
【請求項１】
電線共同溝のケーブル類を収納する溝体の上部開放面を覆う蓋構造であって、
前記溝体の上面縁部に設けられており、上蓋及び中蓋のそれぞれの縁部を受ける受部が内側に形成された枠体，
前記枠体の上方の受部に縁部が係合する上蓋，
前記枠体の下方の受部に縁部が係合する中蓋，
該中蓋を前記枠体に固定するためのロック手段，
前記中蓋を前記枠体に対して密着させるための密閉手段，
を備えたことを特徴とする電線共同溝の中蓋構造。
【請求項２】
前記密閉手段が、
前記枠体の下方の受部に形成された溝，
該溝に設けられるパッキン，
前記中蓋の縁部を、前記パッキンに押し当てて密着させる押込機構，
を備えたことを特徴とする請求項１記載の電線共同溝の中蓋構造。
【請求項３】
前記押込機構が、
周縁部が常に前記中蓋の表面に接触するように回転可能に支持された回転体，
該回転体の中心からずれた位置に設けられており、該回転体とともに回転する回転軸，
該回転軸を、前記中蓋表面と略平行に、かつ、所定の範囲内で軸方向及び中蓋表面と略直交する方向へスライド可能となるように、前記回転体の両側で支持する一対の支持手段，
前記回転体又は回転軸に固定されており、これらを回転させるためのハンドル，
前記枠体の内側に形成されており、前記支持手段から突出した回転軸の一端と係合する係合部，
を備えたことを特徴とする請求項２記載の電線共同溝の中蓋構造。
【発明の詳細な説明】
【技術分野】
【０００１】
本発明は、電線共同溝のケーブル類を収納する溝体（接続部や分岐部などの特殊部や枡等の本体）の中蓋構造に関し、更に具体的には、防水性及び防犯性の改善に関するものである。
【背景技術】
【０００２】
電線共同溝は、電線や光ファイバーなどのケーブル類を、地下空間を利用してまとめて収容する設備であり、都市の景観維持や、ケーブル類の増設，維持，管理などを容易に行うことができるという点で優れている。このような電線共同溝は、例えば、電力地上機器部，管路部，特殊部（分岐枡や接続枡など），引き込み部などにより構成されている。前記特殊部の本体は、断面略Ｕ字状ないし略コ字状の溝体となっており、その上部開放面には、蓋体が取り付けられている（例えば、下記特許文献１）。
【特許文献１】特開２００２−１７０３０公報
【発明の開示】
【発明が解決しようとする課題】
【０００３】
しかしながら、従来の構造では、蓋体と受枠の隙間から雨水などとともに入り込んだ泥が、収納されたケーブル類の間に詰まって固まり、分岐作業などを行う際の妨げになるという不都合がある。また、前記蓋体が一重構造であるため、防犯性が十分であるとはいいがたい。
【０００４】
本発明は、以上の点に着目したもので、その目的は、電線共同溝の溝体に収納されたケーブル類を保護するとともに、防水性及び防犯性に優れた中蓋構造を提供することである。
【課題を解決するための手段】
【０００５】
前記目的を達成するため、本発明は、電線共同溝のケーブル類を収納する溝体の上部開放面を覆う蓋構造であって、前記溝体の上面縁部に設けられており、上蓋及び中蓋のそれぞれの縁部を受ける受部が内側に形成された枠体，前記枠体の上方の受部に縁部が係合する上蓋，前記枠体の下方の受部に縁部が係合する中蓋，該中蓋を前記枠体に固定するためのロック手段，前記中蓋を前記枠体に対して密着させるための密閉手段，を備えたことを特徴とする。主要な形態の一つは、前記密閉手段が、前記枠体の下方の受部に形成された溝，該溝に設けられるパッキン，前記中蓋の縁部を、前記パッキンに押し当てて密着させる押込機構，を備えたことを特徴とする。
【０００６】
他の形態は、前記押込機構が、周縁部が常に前記中蓋の表面に接触するように回転可能に支持された回転体，該回転体の中心からずれた位置に設けられており、該回転体とともに回転する回転軸，該回転軸を、前記中蓋表面と略平行に、かつ、所定の範囲内で軸方向及び中蓋表面と略直交する方向へスライド可能となるように、前記回転体の両側で支持する一対の支持手段，前記回転体又は回転軸に固定されており、これらを回転させるためのハンドル，前記枠体の内側に形成されており、前記支持手段から突出した回転軸の一端と係合する係合部，を備えたことを特徴とする。本発明の前記及び他の目的，特徴，利点は、以下の詳細な説明及び添付図面から明瞭になろう。
【発明の効果】
【０００７】
本発明は、電線共同溝のケーブル類を収納する溝体の上面縁部に設けられる枠体に、上蓋と中蓋を取り付けるとともに、前記中蓋を、前記枠体に対して固定及び密着させることとしたので、前記溝体内への雨水や泥などの浸入を防止することができるという効果がある。また、上蓋の内側に中蓋を設けた二重蓋構造にするとともに、前記中蓋にロック手段を設けているため、防犯性を高めることができる。
【発明を実施するための最良の形態】
【０００８】
以下、本発明を実施するための最良の形態を、実施例に基づいて詳細に説明する。
【実施例１】
【０００９】
最初に、図１〜図５を参照しながら、本発明の実施例１を説明する。本実施例は、本発明の蓋構造を、地下に埋設される電線共同溝の接続枡に適用した例である。図１(A)は前記接続枡の全体構成を示す斜視図，図１(B)は蓋構造を示す分解斜視図である。図２は、本実施例の中蓋を示す図であり、(A)は表面を示す平面図，(B)は裏面を示す平面図である。図３は、本実施例の中蓋の主要部を示す図であり、(A)はロック具を表面側から見た斜視図，(B)は密閉機構を示す斜視図，(C)は密閉機構の変形例を示す平面図である。図４は、本実施例の蓋構造の断面を示す図であり、(A)は前記図１(B)を＃Ａ−＃Ａ線に沿って切断し矢印方向に見た図，(B)は前記図１(B)を＃Ｂ−＃Ｂ線に沿って切断し矢印方向に見た図である。図５は、本実施例の密閉機構の作用を示す斜視図及び断面図である。
【００１０】
図１に示すように、接続枡は、断面略Ｕ字状（ないし略コ字状）の溝体（本体）１０の上に、枠体３２，上蓋５０，中蓋６０からなる蓋構造３０を設けた構成となっている。前記溝体１０は、内側がケーブル１４や１６を収納するための中空部１２となっており、長手方向の両端部には、前記ケーブル１４，１６を通すための開口部１８Ａ，１８Ｂが形成されている。また、溝体１０の上面は、縁部２２を除いて開口しており、開口部２０が前記上蓋５０及び中蓋６０によって覆われる。このような溝体１０は公知であり、例えば、セメントコンクリートやレジンコンクリートなどにより形成されている。
【００１１】
まず、蓋構造３０を構成する枠体３２は、図１及び図４に示すように、前記溝体１０の上端の縁部２２に載せることができ、かつ、所定の高さを有する枠状に形成されている。該枠体３２の長辺３２Ａ，３２Ｂ及び短辺３２Ｃ，３２Ｄ側の上方には、前記上蓋５０の裏面５４Ｂの縁部を受けるための平面状の受部３６Ａ〜３６Ｄが形成されている。これら受部３６Ａ〜３６Ｄは、前記上蓋５０を嵌めたときに、その表面５４Ａが枠体３２の表面３４Ａと面一となるように設定されている。
【００１２】
ここで、前記上蓋５０は、前記枠体３２の上面開口部に設けられるものであって、その表面５４Ａの短辺５０Ｃ，５０Ｄ近傍には、図１に示すように、ネジ穴５６，５８が設けられている。該ネジ穴５６，５８は、一端にリングが設けられたボルト５９を取り付けることによって、前記リングに図示しないフックなどを掛けて上蓋５０を吊り上げるためのものである。なお、前記ネジ穴５６，５８は、通常、図示しないキャップなどで覆われている。
【００１３】
また、前記枠体３２の下方内側には、後述する中蓋６０の縁部を受けるための受部３８が設けられている。該受部３８には、パッキン１００を設けるための溝４０が、枠体３２の全周にわたって形成されている。また、前記枠体３２の一対の短辺側には、図４(B)に示すように、前記受部３８の上端から水平方向に内側に伸びた延長部４２が形成されており、該延長部４２の裏面には溝４６が形成されている。前記溝４６のうちの一方は、中蓋６０のロック具６６を係合させるためのものである。更に、前記枠体３２の本体３３の内側には、図４(A)に示すように、前記受部３８よりも上方に、後述する密閉機構８０の回転軸９０の端部９４Ａを嵌めるための凹部４８が、適宜位置に複数（本実施例では４箇所）形成されている。以上のような枠体３２は、例えば、鉄板などにより形成されており、適宜手段によって、前記溝体１０の縁部２２に固定されている。
【００１４】
次に、記枠体３２の中に取り付けられる中蓋６０は、図２に示すように、全体が略長方形に形成されており、一方の短辺６０Ｄ寄りには、表面６２Ａから裏面６２Ｂにかけてロック具６６が設けられている。ロック具６６は、図４(B)に示すように、中蓋６０の裏面６２Ｂに対して略直交する筒部６８と、該筒部６８の下端から中蓋６０の裏面６２Ｂと略平行になるように延長した延長部７０と、該延長部７０の先端から、前記筒部６８と略平行になるように伸びた係合部７２を備えている。前記筒部６８の内側は、図３(A)に示すように、中蓋６０の表面６２Ａ側で開口した中空部７４となっており、該中空部７４の底面に形成された嵌合穴７４Ａに図示しない工具の先端などを嵌めることによって、前記延長部７０及び係合部７２を裏面６２Ｂ側で回転させることが可能となっている。なお、通常、前記中空部７４の上面開口部は、キャップ７６により覆われている。
【００１５】
一方、中蓋６０の他方の短辺６０Ｃ側の裏面には、図２(B)に示すように、係合片６４が設けられている。該係合片６４の上部６４Ａ側は、図４(B)に示すように、前記中蓋６０の裏面６２Ｂにネジなどで固定され、下端には、前記裏面６２Ｂに略平行となるように伸びた係合部６４Ｂが形成されている。該係合部６４を、前記枠体３２の内側の延長部４２の縁部４４に係合させ、かつ、前記ロック具６６の係合部７２を、前記枠体３２の内側の延長部４２の裏面の溝４６に係合させることにより、中蓋６０を枠体３２に対して固定及びロックすることができる。
【００１６】
更に、前記中蓋６０の表面６２Ａの四隅近傍には、該中蓋６０を前記枠体３２に対して密着させるための密閉機構８０が設けられている。該密閉機構８０は、図３(B)に示すように、一対の支持部８４，８８と、その間に設けられた回転体９２及びその回転軸９４と、ハンドル９４Ｂにより構成されている。前記支持部８４，８８は、所定の厚みを有する略円形状であって、固定板８２を介して前記中蓋６０の表面６２Ａに固定されるとともに、前記回転軸９４が軸方向にスライド可能に貫通する長穴８６，９０をそれぞれ備えている。該長穴８６，９０は、前記中蓋６０の表面６２Ａと略直交する方向に長く形成されており、前記回転軸９４は、これら長穴８６，９０の形成方向にもスライド可能となっている。また、前記回転体９２は、所定の厚みを有する略円形状であって、円周の一部に平坦部９２Ａが形成されるとともに、前記回転軸９４が中心からずれるように（偏心して）固定されている。該回転体９２は、前記回転軸９４の一方の端部側に設けられたハンドル９４Ｂの操作により回転可能となっている。このような回転体９２は、前記回転軸９４が偏心しているものの、該回転軸９４が前記支持部８４，８８の長穴８６，９０に沿って上下動可能となっているため、周縁部が中蓋表面６２Ａに常に接触可能となっている。
【００１７】
図５には、前記密閉機構８０による密閉手順が示されている。まず、図５(A-1)及び(A-2)に示すように、密閉前は、ハンドル９４Ｂが奥へ引き込まれており、回転体９２は一方の支持部８８側に寄っている。また、ハンドル９４Ｂは、前記回転軸９４が下がった位置となる方向に倒されている。密閉を行うときは、図５(B-2)に示すように、まず、矢印Ｆ１に示すように、回転軸９４を外側に押し出して、端部９４Ａを、枠体３２の内側の凹部４８に嵌める。この時点では、中蓋６０の縁部６１の先端は、枠体３２の溝４０に設けられたパッキン１００に接触しているのみである。
【００１８】
次に、図５(B-1)に示すように、ハンドル９４Ｂを操作して回転軸９４及び回転体９２を矢印Ｆ２で示す方向に回すと、図５(C-2)に矢印Ｆ３で示すように、回転軸９４が支持部８４，８８の長穴８６，９０に沿って上方に上がろうとする。ところが、前記回転軸９４の端部９４Ａは、既に枠体３２の凹部４８に嵌っており、実際に回転軸９４の位置が上がることはないため、結果として、前記回転体９２の周縁部により、中蓋６０自体が矢印Ｆ４で示すように押し下げられる。押し下げは、前記回転体９２の平坦部９２Ａが中蓋表面６２Ａに接触するときに最大になる。中蓋６０が十分押し下げられると、前記縁部６１の先端が前記パッキン１００に食い込んで密着し、溝体１０の内側の防水性が保たれる。なお、前記図４(A)では、枠体３２の構造の理解を容易にするため、回転軸９４の先端９４Ａを凹部４８から引き抜いた状態が示されているが、実際には、上蓋５０を取り付ける前には回転軸先端９４Ａは凹部４８に嵌っており、中蓋６０が枠体３２に密着した状態となっている。
【００１９】
次に、本実施例の作用を説明する。地中には、前記溝体１０が埋設されており、該溝体１０の中空部１２には、ケーブル１４や１６が収納されている。このような溝体１０の上端の縁部２２に、まず、枠体３２を適宜手法で固定し、その内側の溝４０にパッキン１００を全周にわたって設ける。次に、中蓋６０を、一方の短辺６０Ｃ側を下げるように斜めに枠体３２内に差し込んで、裏面６２Ｂの係合部６４Ｂを枠体３２の一方の延長部４２の縁部４４に係合させてから、他方の短辺６０Ｄ側を下げて中蓋６０を枠体３２の受部３８にのせて、縁部６１をパッキン１００に接触させる。このとき、ロック具６６の延長部７０及び係合部７２は、図２(B)に点線で示す位置ＰＡにあり、これらが枠体３２の延長部４２に接触することはない。中蓋６０を受部３８に載せたら、表面６２Ａ側から図示しない工具などをロック具６６の嵌合穴７４Ａに嵌め、前記延長部７０及び係合部７２を、図２(B)に実線で示す位置ＰＢまで回転させ、図４(B)に示すように、前記係合部７２を枠体３２の延長部４２の溝部４６に係合させて中蓋６０を枠体３２に固定する。
【００２０】
前記ロック具６６による固定のあと、上述した手順により、前記中蓋６０の四隅に設けた密閉機構８０によって、中蓋６０の縁部６１を枠体３２のパッキン１００へ密着させる。最後に、前記ネジ穴５６，５８にボルト５９を取り付けた上蓋５０を、図示しない吊り上げ装置などを利用して、前記枠体３２の受部３６Ａ〜３６Ｄに嵌める。前記ボルト５９は、上蓋５０の取り付けが完了したら外し、ネジ穴５６，５８には図示しないキャップなどを設けておく。なお、前記溝体１０内に収納されたケーブル１４，１６の点検や分岐などの作業を行う場合には、上述した手順を逆に行うことにより、枠体３２から上蓋５０，中蓋６０を順に取り外すことができる。
【００２１】
このように、実施例１によれば、次のような効果がある。
(1)溝体１０の上面縁部２２に設けられる枠体３２に、上蓋５０と中蓋６０を取り付けるとともに、前記中蓋６０を、前記枠体３２に対して固定し、かつ、密着機構８０により密着させることとしたので、溝体１０内の防水性を保つことができる。
(2)上蓋５０の内側に中蓋６０を設けた二重蓋構造とし、前記中蓋６０にロック具６６を設けることとしたので、機密性・防犯性を高めることができる。
(3)内蓋６０にロック具６６を設けることとしたので、上蓋５０を分割構造とする場合であっても、内蓋６０の一箇所にのみロック具６６を設ければよいため、開閉作業が容易である。
【００２２】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法，材質は一例であり、必要に応じて適宜変更してよい。
(2)前記ロック具６６及び係合片６４による中蓋６０と枠体３２のロック機構も一例であり、同様の効果を奏するように適宜設計変更してよい。むろん、他のロック機構と併用するようにしてもよいし、上蓋５０側にロック機構を追加するようにしてもよい。
【００２３】
(3)前記密閉機構８０による中蓋６０の密着も一例であり、同様の効果を奏するように適宜設計変更してよい。例えば、前記実施例では、密閉機構８０のハンドル９４Ｂを、回転軸９４の端部に設けることとしたが、図３(C)に示す例のように、ハンドル９８を、回転体９２の縁部に直接固定するようにしてもよい。また、前記実施例では、密閉機構８０を中蓋６０の四隅に設けることとしたが、それも一例であり、中蓋６０の形状や寸法に応じて、その取り付け数は適宜増減してよい。位置についても同様に変更可能である。
【００２４】
(4)前記枠体３２に対する上蓋５０の取り付け機構も一例であり、公知の各種の機構を適用してよい。また、前記実施例では、上蓋５０を一枚構造としたが、必要に応じて複数に分割したものを並べて敷設するようにしてもよい。
(5)前記実施例では、本発明の蓋構造を電線共同溝の接続枡に適用したが、これも一例であり、本発明は接続枡に限らず、電線共同溝を構成する特殊部・枡等の溝体（本体）全般に適用可能である。
【産業上の利用可能性】
【００２５】
本発明によれば、ケーブル類を収納する溝体の上面縁部に設けられる枠体に、上蓋と中蓋を取り付けるとともに、前記中蓋を前記枠体に対して固定及び密着させて、防水性の向上を図ることとしたので、電線共同溝の中蓋構造の用途に適用できる。特に、上蓋の内側に中蓋を設けた二重蓋構造にし、かつ、前記中蓋にロック機構を設けることとしたので、防犯機能を備えた蓋構造として好適である。
【図面の簡単な説明】
【００２６】
【図１】本発明の実施例１を示す図であり、(A)は接続枡の全体構成を示す斜視図，(B)は蓋構造を示す分解斜視図である。
【図２】前記実施例１の中蓋を示す図であり、(A)は表面を示す平面図，(B)は裏面を示す平面図である。
【図３】前記実施例１の中蓋の主要部を示す図であり、(A)はロック具を示す斜視図，(B)は密閉機構を示す斜視図，(C)は密閉機構の変形例を示す平面図である。
【図４】前記実施例１の蓋構造の断面図であり、(A)は前記図１を＃Ａ−＃Ａ線に沿って切断し矢印方向に見た図，(B)は前記図１を＃Ｂ−＃Ｂ線に沿って切断し矢印方向に見た図である。
【図５】前記実施例１の作用を示す斜視図及び断面図である。
【符号の説明】
【００２７】
１０：溝体（本体）
１２：中空部
１４，１６：ケーブル
１８Ａ，１８Ｂ，２０：開口部
２２：縁部
３０：蓋構造
３２：枠体
３２Ａ，３２Ｂ：長辺
３２Ｃ，３２Ｄ：短辺
３３：本体
３４Ａ：表面
３４Ｂ：裏面
３６Ａ〜３６Ｄ：受部
３８：受部
４０：溝
４２：延長部
４４：縁部
４６：溝
４８：凹部
５０：上蓋
５０Ａ，５０Ｂ：長辺
５０Ｃ，５０Ｄ：短辺
５４Ａ：表面
５４Ｂ：裏面
５６，５８：ネジ穴
５９：ボルト
６０：中蓋
６０Ａ，６０Ｂ：長辺
６０Ｃ，６０Ｄ：短辺
６１：縁部
６２Ａ：表面
６２Ｂ：裏面
６４：係合片
６４Ａ：上部
６４Ｂ：係合部
６６：ロック具
６８：筒部
７０：延長部
７２：係合部
７４：中空部
７４Ａ：嵌合穴
７６：キャップ
８０：密閉機構
８２：固定板
８４，８８：支持部
８６，９０：長穴
９２：回転体
９２Ａ：平坦部
９４：回転軸
９４Ａ：端部
９４Ｂ，９８：ハンドル
１００：パッキン
【図１】
2009033896.tif 000003
【図２】
2009033896.tif 000004
【図３】
2009033896.tif 000005
【図４】
2009033896.tif 000006
【図５】
2009033896.tif 000007